(57)【要約】【課題】受信機が、信号の送信機を容易に識別できるようにする。【解決手段】本発明は、受信機で信号を受信するための方法に関し、受信信号は、複数の送信機によって同じ周波数で同期的に伝送され、同じ第１のエンコーダを用いてエンコードされた同じデータを表す信号の組合せを含む。送信機を簡単に識別するために、この方法は、それぞれ異なる重み付け係数を用いて重み付けされ、送信機に基づく２つの信号を受信することであって、２つの係数の１つは、２つの時間間隔に対して２つの異なる値を取り、時間間隔のそれぞれの係数の比率が異なることと、受信した信号から、ならびに関連する係数および時間間隔を表す情報から、２つのサブセットの１つに特有のパラメータを決定することとを含む。本発明はさらに、対応する伝送方法に関する。【選択図】図６
2010109978.tif 000002
【特許請求の範囲】
【請求項１】
同じ周波数で、各々が決定された電力および位相でフレームを伝送する複数の送信機によって同期して伝送され、同じ第１のコードを用いて符号化された同じデータを表す信号の組合せを含む受信信号を、受信機により受信する方法において、
第１の信号および第２の信号を含む結合信号を受信するステップであって、
前記第１の信号は、第１のサブセットの各送信機によって、第１の複素重み付け係数を用いて伝送されおよび重み付けされ、
前記第２の信号は、第２のサブセットの各送信機によって第２の複素重み付け係数を用いて伝送されおよび重み付けされ、
少なくとも第１の時間間隔に対する前記第１の複素重み付け係数および第２の複素重み付け係数の比率は、少なくとも第２の時間間隔に対する前記第１の複素重み付け係数および第２の複素重み付け係数の比率と異なっているステップと、
受信した信号から、ならびに少なくとも前記第１および第２の複素重み付け係数および関連付けられた時間間隔を表す情報から、前記第１のサブセットにまたは前記第２のサブセットに特有のパラメータを決定するステップと
を備えることを特徴とする方法。
【請求項２】
少なくとも第１のアンテナによって伝送されるデータに適用される第１のエンコーディングから、および少なくとも第２のアンテナによって伝送されるデータに適用される前記第１のエンコーディングとは異なる第２のエンコーディングから生じる信号を区別するステップを備え、
第１の送信機および第２の送信機はそれぞれ、前記少なくとも第１のアンテナおよび前記少なくとも第２のアンテナを含み、または送信機は前記少なくとも第１のアンテナおよび前記第２のアンテナを含むことを特徴とする請求項１に記載の方法。
【請求項３】
前記結合信号内の前記第１のサブセットおよび／または前記第２のサブセットの特定の寄与を判定するステップを備えることを特徴とする請求項１乃至２いずれかに記載の方法。
【請求項４】
前記受信機によって、前記少なくとも第１の複素重み付け係数および前記第２の複素重み付け係数および前記関連付けられた時間間隔を表す情報を受信するステップを備えることを特徴とする請求項１乃至３いずれかに記載の方法。
【請求項５】
前記結合信号から、および少なくとも１つのサブセットに特有の前記パラメータから、少なくとも前記サブセットのエネルギー寄与を決定するステップを備えることを特徴とする請求項１乃至４いずれかに記載の方法。
【請求項６】
前記結合信号、および前記少なくとも２つのサブセットに特有のパラメータから、それぞれ前記少なくとも２つのサブセットと前記受信機との間で伝送される信号の伝播に関する時間の差を決定するステップと、
前記少なくとも２つのサブセットに関して、前記受信機に関係している位置を決定するステップと
を備えることを特徴とする請求項１乃至５いずれかに記載の方法。
【請求項７】
少なくとも２つのサブセットの前記送信機の地理的位置を表す情報を受信するステップと、
前記受信機の地理的位置を決定するステップと
をさらに備えることを特徴とする請求項６に記載の方法。
【請求項８】
前記受信機の位置を伝送するステップを備えることを特徴とする請求項６または７に記載の方法。
【請求項９】
同じ周波数で、各々が決定された電力および位相でフレームを伝送する複数の送信機によって、同じ第１のコードを用いてエンコードされた同じデータを表す信号を同期して伝送する方法において、
第１のサブセットの各送信機は、第１の重み付け係数を用いて重み付けされた第１の信号を伝送し、
第２のサブセットの各送信機は、第２の複素重み付け係数を用いて重み付けされた第２の信号を伝送し、
少なくとも第１の時間間隔に対する前記第１の複素重み付け係数および第２の複素重み付け係数の比率は、少なくとも第２の時間間隔に対する前記第１の複素重み付け係数および前記第２の複素重み付け係数の比率と異なること
を特徴とする方法。
【請求項１０】
前記重み付け係数は、周期的な方法で一時的に適用されることを特徴とする請求項９に記載の方法。
【請求項１１】
前記複数の送信機の少なくとも１つの送信機は、前記少なくとも１つの送信機によって伝送された信号に重み付けする前記複素重み付け係数の変更に対する要求を受信することを特徴とする請求項９または１０に記載の方法。
【請求項１２】
前記少なくとも第１の重み付け係数または前記第２の重み付け係数は、少なくとも２つのアンテナを含む前記第１のサブセットまたは第２のサブセットの少なくとも１つの送信機の少なくとも第１のアンテナの送信電力を変更し、前記第１のアンテナに印加される電力の差は、前記送信機の全送信電力が一定になるように、前記送信機の前記少なくとも１つの第２のアンテナにそれぞれ転送されることを特徴とする請求項９乃至１１いずれかに記載の方法。
【請求項１３】
前記第１の重み付け係数は、前記第１の時間間隔に対してヌル値を取り、前記第２の時間間隔に対して非ヌル値を取ることを特徴とする請求項９乃至１２いずれかに記載の方法。
【請求項１４】
前記第１の重み付け係数は、前記第１の時間間隔に対して決定された値を取り、前記第２の時間間隔に対して反対の値を取ることを特徴とする請求項９乃至１２いずれかに記載の方法。
【発明の詳細な説明】
【技術分野】
【０００１】
本発明は電気通信の領域に関し、より具体的には、同じデータを表す信号を伝送する複数の送信機を含むシステムにおける同期的な方法および同じ周波数でのデータの無線送受信に関する。
【背景技術】
【０００２】
従来技術では、例えばテレビサービスなどのサービスの配信は、シャドウゾーンを含む限定された範囲を有し、電力が高められた送信機によって行われる。シャドウゾーンとは、配信の対象とならないゾーン、特に閉じたゾーン（一部のスーパーマーケットまたはビルなど）または送信機から離れているゾーンのことである。特にシャドウエリアにおいて配信範囲を改善するために、従来技術では、例えば電力があまり高められていない複数の送信機を分散して、これらのゾーンのカバリッジを改善することが知られている。ＯＦＤＭ（直交周波数分割多重）タイプの複数サブキャリアにおける変調は、外乱の影響を受けやすいチャネル（エコーを作りだす多重経路を用いるチャネルなど）を介するデータ配信において比較的効率的であり、特にシャドウゾーンでは効率的である。
【０００３】
従来技術で知られており、ＳＦＮ（単一周波数ネットワーク）と呼ばれる技術によると、複数の送信機が単一のＯＦＤＭ信号を同期的に伝送する。この方法では、受信機は複数の送信機からの信号の組合せを受信して、ＯＦＤＭに特有の特性を使用して、このように得られた組合せを復号し、符号間干渉を解消する。
【０００４】
無線の非ＳＦＮネットワークシステムでは、受信機は、さまざまな伝播応答を、それらの相対的位相と電力レベルを用いて抽出できる伝播チャネルのパルス応答を確立することができる。ＭＩＭＯ（多重入力多重出力）システムでは、同じ処理を、送信アンテナおよび受信アンテナを含む各ペアに対して実行することが可能であり、利用可能なペアと同数のパルス応答が用いられる。
【先行技術文献】
【非特許文献】
【０００５】
【非特許文献１】specification DVB-T2 "Digital Video Broadcasting-Terrestrial 2" edited by ETSI (European Telecommunication Standards Institute)
【非特許文献２】G. J. Foschini, "Layered Space-Time Architecture for Wireless Communication in a Fading Environment When Using Multiple Antennas", Bell Labs Technical Journal, Vol. 1, No. 2, Autumn 1996, pp. 41-59
【非特許文献３】J.-C. Belfiore, G. Rekaya, E. Viterbo "The Golden Code: A 2 x 2 Full-Rate Space-Time Code with Non-Vanishing Determinants", IEEE Transactions on Information Theory, vol. 51, No. 4, pp. 1432-1436, April 2005
【非特許文献４】V. Tarokh, H. Jafarkhani, R. A. Calderbank, "Space-Time block codes from orthogonal designs", IEEE Transactions on Information Theory, vol. 45, pp. 1456-1467, July 1999
【非特許文献５】"A simple transmit diversity technique for wireless Communications", IEEE Journal on selected area in communications, October 1998
【発明の概要】
【発明が解決しようとする課題】
【０００６】
しかしながら、ＳＦＮ技術には、受信機はしかじかの各送信機からの伝送パスを区別できないという短所があり、また、送信機のそれぞれは、同じ周波数で、同じエンコーダを用いて符号化された同じデータを表す信号を同期して伝送する。したがって、伝送された信号には、受信機が送信機を識別するための情報がない。
【０００７】
従来技術では、ＯＦＤＭ  ＳＦＮ技術を使用して、すべての送信機によって伝送される第１の主な信号を伝送し、送信機のそれぞれによって並列して伝送される第２の信号（非ＳＦＮ）を伝送し、第２の信号は、対応する送信機の識別を可能にする情報のアイテム（ｉｔｅｍ）を含むことが知られている（例えば、非特許文献１を参照）。
【０００８】
この技術の短所は、付加的な非ＳＦＮ信号を伝送する必要があることであり、このために、そのような技術を実装した送信機および対応する受信機の設計が特に複雑になってしまう。
【０００９】
本発明の目的は、これらの従来技術の短所を克服することにある。
【００１０】
より具体的には、本発明の目的は、受信機が信号の送信機を容易に識別できるようにすることにある。
【課題を解決するための手段】
【００１１】
本発明は、受信機で信号を受信する方法に関し、受信する信号は、複数の送信機によって同じ周波数で同期的に伝送され、同じ第１のコードを用いて符号化された同じデータを表す信号の組合せを含み、前述複数の送信機のそれぞれは、決定された電力および位相でフレームを伝送する。信号の送信機を識別するために、この方法は、
第１の信号および第２の信号を含む結合信号を受信するステップであって、
第１の信号は、第１のサブセットの各送信機によって第１の複素重み付け係数を用いて伝送および重み付けをされ、
第２の信号は、第２のサブセットの各送信機によって第２の複素重み付け係数を用いて伝送および重み付けをされ、
少なくとも第１の時間間隔に対する第１の複素重み付け係数および第２の複素重み付け係数の比率は、少なくとも第２の時間間隔に対する第１の複素重み付け係数および第２の複素重み付け係数の比率とは異なっているステップと、
受信した信号から、ならびに少なくとも第１の複素重み付け係数および第２の複素重み付け係数および関連付けられた時間間隔（temporal interval）を表す情報から、第１のサブセットまたは第２のサブセットに特有のパラメータを決定するステップとを備える。
【００１２】
送信機の各サブセットは、決定された係数の重み付けされた信号を伝送し、これにより、受信機は、受信した結合信号を形成する信号を伝送した送信機を識別することができる。サブセットに特有のパラメータは、受信機によって受信される結合信号を形成するさまざまな送信機（または送信機のサブセット）による信号の送信において、特に送信機（または送信機のサブセット）の信号の寄与（ｃｏｎｔｒｉｂｕｔｉｏｎ）、送信機（または送信機のサブセット）のエネルギー寄与、または送信機（または送信機のサブセット）の位置によって表される。
【００１３】
特定の特性（specific characteristic）に従って、この方法は、少なくとも第１のアンテナによって伝送されるデータに適用される第１の符号化から、および少なくとも第２のアンテナによって伝送されるデータに適用される第１の符号化とは異なる第２の符号化から生じる信号を区別するステップを含み、第１の送信機および第２の送信機は、それぞれ少なくとも第１のアンテナおよび少なくとも第２のアンテナを含む、または、送信機は少なくとも第１のアンテナおよび第２のアンテナを含む。
【００１４】
この特定の特性は、ＭＩＭＯまたは協調ＭＩＭＯネットワークを形成する送信機によって伝送される信号の組合せからの信号の受信に対応する。
【００１５】
他の特性に従って、この方法は、結合信号において第１のサブセットおよび／または第２のサブセットに特有の寄与を決定するステップを含む。
【００１６】
有利なことに、この方法は、少なくとも第１および第２の複素重み付け係数および関連付けられた時間間隔を表す情報を受信機によって受信するステップを含む。
【００１７】
特定の特性に従って、この方法は、結合信号から、および少なくとも１つのサブセットに特有のパラメータから、少なくともサブセットのエネルギー寄与を決定するステップを含む。
【００１８】
有利なことに、この方法は、
結合信号、および少なくとも２つのサブセットに特有のパラメータから、それぞれ少なくとも２つのサブセットと受信機との間で伝送される信号の伝播に関する時間の差を決定するステップと、
少なくとも２つのサブセットに関して受信機に関係する位置を決定するステップと、を備える。
【００１９】
特定の特性によると、この方法は、
少なくとも２つのサブセットの送信機の地理的位置を表す情報を受信するステップと、
受信機の地理的位置を決定するステップと、を含む。
【００２０】
有利な特性に従って、この方法は、受信機の位置を送信するステップを含む。
【００２１】
さらに、本発明は、複数の送信機によって同じ周波数で同期的に、同じ第１のコードを用いて符号化された同じデータを表す信号を送信する方法に関し、各送信機は決定された電力および位相でフレームを伝送する。第１のサブセットの各送信機は、第１の重み付け係数によって重み付けされた第１の信号を伝送し、第２のサブセットの各送信機は、第２の複素重み付け係数によって重み付けされた第２の信号を伝送し、少なくとも第１の時間間隔に対する第１の複素重み付け係数および第２の複素重み付け係数の比率は、少なくとも第２の時間間隔に対する第１の複素重み付け係数および第２の複素重み付け係数の比率とは異なっている。
【００２２】
有利なことに、重み付け係数は、周期的に一時的に割り付けられる。
【００２３】
特定の特性に従って、複数の送信機の少なくとも１つの送信機は、少なくとも１つの送信機によって伝送された信号に重み付けする複素重み付け係数の変更の要求を受信する。
【００２４】
有利な特性に従って、少なくとも第１の重み付け係数または第２の重み付け係数は、少なくとも２つのアンテナを含む第１のサブセットまたは第２のサブセットの少なくとも１つの送信機の少なくとも第１のアンテナの送信電力を変更し、第１のアンテナに印加される電力の差は、前述の送信機の全送信電力が一定になるように、前述の送信機の少なくとも１つの第２のアンテナにそれぞれ転送される。
【００２５】
特定の特性に従って、第１の重み付け係数は、第１の時間間隔に対してヌル値を取り、第２の時間間隔に対して非ヌル値を取る。
【００２６】
有利なことに、第１の重み付け係数は、第１の時間間隔に対して決定された値を取り、第２の時間間隔に対して反対（opposite）の値を取る。
【００２７】
本発明は、以下の記述を読むことによってさらに理解され、他の特定の特徴および利点が明らかになるであろう。以下の記述では、添付図面を参照する。
【図面の簡単な説明】
【００２８】
【図１】本発明の特定の実施形態による複数の送信機を実装する配信システムを示す図である。
【図２】本発明の特定の実施形態による図１のシステムにおける送信機の非常に概略的なブロック図である。
【図３】本発明の特定の実施形態による図１のシステムにおける受信機の非常に概略的なブロック図である。
【図４】本発明による図１のシステムにおける送信機を概略的に示した図である。
【図５】本発明による図１のシステムにおける受信機を概略的に示した図である。
【図６】図１のシステムにおける受信機によって実装されている、本発明の特定の実施形態によるデータを受信する方法を示した図である。
【図７】図１のシステムにおける受信機によって実装されている、本発明の特定の実施形態によるデータを受信する方法を示した図である。
【図８】図１のシステムにおける受信機によって実装されている、本発明の特定の実施形態によるデータを受信する方法を示した図である。
【図９】図１のシステムにおける受信機によって実装されている、本発明の特定の実施形態によるデータを受信する方法を示した図である。
【図１０】図１のシステムにおける送信機によって実装されている、本発明の特定の実施形態によるデータを伝送する方法を示した図である。
【発明を実施するための形態】
【００２９】
図１は、複数の送信機１０１、１０２および１０３（送信機１０１および１０２は送信機１０のサブセットを形成する）、ならびに受信機１００を実装した本発明の特定の実施形態による無線通信システム１を示す。送信機１０１は単一の送信アンテナを持っている。送信機１０２、１０３はＭＩＭＯタイプであり、それぞれがＭＩＭＯエンコーダ、およびＭＩＭＯタイプの信号を伝送する複数のアンテナを持っている。受信機１００はＭＩＭＯタイプであり、ＭＩＭＯデコーダを持っている。受信機１００は、送信機１０１、１０２、および１０３によって伝送された信号を受信して復号することができる。
【００３０】
有利なことに、システム１の受信機１００は携帯機器、例えば、携帯電話もしくは配信サービスを受信して処理（例えばビデオデータの表示）するのに適したポータブル端末、または受信した信号を分析（例えば受信した信号の電力測定）するのに適した測定装置である。
【００３１】
変形した形態によると、受信機１００は、受信アンテナを１つだけ持つこともできる。
【００３２】
有利なことに、システム１の送信機１０１、１０２および１０３は、固定された装置である。送信機は、広いカバリッジ領域全体にデータを配信するのに適した高出力の送信機、または、より制限されたカバリッジ領域全体に配信するのに適した平均的なまたは低い出力の送信機である。変形した形態によると、送信機１０１、１０２および１０３の少なくとも１つは、「ピコセル」を対象とするシステムを形成する。ピコセルとは、ビル、スーパーマーケット、駅の内部など、数十メートルの範囲（例えば５０ｍ未満）しかない狭い領域のことである。他の変形した形態によると、送信機の少なくとも１つは、「フェムトセル」を対象とするように設計したシステムを形成する。フェムトセルとは、家またはビルの部屋、ビルの１フロア、飛行機など、数メートルの範囲（例えば１０メートル未満）しかない、ピコセルより小さなサイズに制限された領域のことである。
【００３３】
変形した形態によると、すべての送信機はＳＩＳＯ（単一入力単一出力）タイプであり、アンテナを１つだけ持っている。送信機は、同じ周波数で同じコンテンツを伝送する同期ネットワークを形成する。つまり、送信機は単一の周波数で（考慮するＯＦＤＭ方式に関して無視できる程度の周波数の差を持つ（典型的にはＤＶＢ−Ｔ型システムで１Ｈｚ未満））、同期的な方法で（無視できる程度の時間的な差（例えば１μ秒未満）を持ち、送信機によって伝送された信号は、別の送信機によって伝送された別の信号に関して時間的にずれることない）機能する。伝送周波数は、例えば外部要素（例えばＧＰＳ（全地球測位システム）衛星または基準時間あるいは周波数の地上放送局によって）によって提供される基準周波数を受信することによって、他の送信機と同期される。
【００３４】
他の変形した形態によると、すべての送信機はＭＩＭＯタイプであり、ＭＩＭＯ信号を伝送する複数のアンテナを持っている。この変形形態によると、送信機も、同じ周波数で同じコンテンツを伝送する同期ネットワークを形成する。
【００３５】
他の実装によれば、システム１の送信機は、送信機が１つまたは複数のアンテナを無関係に持つ協調ＭＩＭＯシステムを形成する。このような協調ＭＩＭＯシステムでは、複数の送信機の間で分散されたアンテナを使用する。つまり、伝送される信号は、複数の送信機に所属できる複数のアンテナ間で空間的に分散される。空間内のフローをすべて含む完全な信号は、空間中で組み合わせられて受信機によって受信される。このような協調ＭＩＭＯシステムの送信機も、同じ周波数で同じコンテンツを伝送する同期ネットワークを形成する。
【００３６】
他の変形した形態によると、システムの送信機には、協調またはそうでないＭＩＭＯタイプのものと、ＳＩＳＯタイプのものとがある。
【００３７】
有利なことに、サブセットを形成する送信機は共通の特性を持っており、例えば、同じ地理的領域に位置していたり、または同じサブネットワークを定義したり、または同様のサービスを提供したりする。このサブセットに関して受信機を位置特定するためにサブセットの重心を決定することは、送信機が同じ地理的領域に属するサブセットを形成しているときに特に有利である。
【００３８】
変形した形態によると、サブセットが含む送信機によるサブセットの定義は、時間によって固定されていたり、または時間によって変動したりする。有利なことに、サブセットが含む送信機によるサブセットの定義は、要求によって、例えば端末からの要求またはネットワークマネージャからの要求によって変更される。
【００３９】
図２は、本発明の特定の実施形態による受信機にデータを配信するのに適した送信機２のアーキテクチャを示す。送信機１０２、１０３は、例えば、送信機２のアーキテクチャを持っている。
【００４０】
送信機２は、
−データ２００を受信するエンコーダ２０と、
−ＯＦＤＭシンボルを、アンテナ２３１〜２３Ｎｔｘの少なくとも１つにそれぞれ伝送するＮｔｘ  ＯＦＤＭ変調器２２１〜２２Ｎｔｘと、
−同期信号２４０を受信し、ＯＦＤＭ変調器２２１〜２２Ｎｔｘを同期させる信号２４１を伝送する同期モジュール２４と、を備える。
【００４１】
信号２４０は、例えば正確なタイムスタンプまたは正確な同期信号を含む信号であり、例えばＧＰＳ受信機または、ＩＥＥＥ規格によるＰＴＰ（Ｐｒｅｃｉｓｉｏｎ  Ｔｉｍｅ  Ｐｒｏｔｏｃｏｌ）プロトコルによる）インターネット網によって提供される。同期モジュール２４は信号２４１を生成する。有利なことに、ＯＦＤＭ変調器は約１μ秒の精度で同期され、より一般には、ＯＦＤＭシンボルのガードインターバルが、受信機のレベルで、送信機間に生じうるオフセットおよび配信信号によって後続される経路に関連する伝送遅延を吸収できる精度で同期される（ガードインターバルは、送信機間のオフセットおよび伝送遅延の合計の最大値以上の期間を持つ）。
【００４２】
エンコーダ２０は、
−データ２００を受信して、チャネルコーディング（例えば畳み込み符号またはブロック）を用いてノイズのある伝送に関連するエラーからそれらのデータを保護し、それらのデータを成形して符号化データ２０２のブロックを形成するチャネルエンコーダ２０１と、
−インタレーサ／マッパー２０３であって、マッパーは、ｘＱＡＭ（例えば１６、６４、または２５６の値のｘを用いる直交振幅変調）タイプまたはｘＰＳＫ（例えば４、８、１６、または３２の値のｘを用いる位相シフトキーイング）タイプの変調などに関連付けられたｘポイントのコンスタレーションで符号化データ２０２を変調し、符号化データ２０２を受信して、マッパーを介して変調されたシンボル２０４を生成する、インタレーサ／マッパー２０３と、
−ＯＦＤＭ変調器２２１〜２２Ｎｔｘのそれぞれを対象とするＭＩＭＯデータブロック２０６１〜２０６ＮｔｘのＮｔｘフローを形成するために、変調されたシンボル２０４を符号化するＭＩＭＯエンコーダ２０５（または時空間周波数エンコーダ）と、
−ＯＦＤＭシンボルを生成するために、主にＩＦＦＴ（逆高速フーリエ変換）オペレータから構成されるＮｔｘ  ＯＦＤＭ変調器２２１〜２２Ｎｔｘとを備え、ここでＯＦＤＭ変調器は、フレームのリズムとＯＦＤＭシンボルを用いて同期的な方法で信号に重み付け係数を適用するために、有利にも、出力にマルチプライヤを含む。一変形形態によると、マルチプライヤは、ＯＦＤＭ変調器の出力に配置される追加モジュールである。
【００４３】
ここで、アンテナモジュール２３１〜２３Ｎｔｘは、無線またはＲＦ（無線周波数）部、特に周波数変換、増幅およびフィルタリング機能、ならびに送信アンテナを備える。
【００４４】
マッパー２０３は、変調されたＱ個のシンボルのグループを生成する。Ｑは例えば１６００に等しく、ＭＩＭＯエンコーダ２０５によって使用されるコードのレートと、送信機のアンテナモジュール２３１〜２３Ｎｔｘの数値Ｎｔｘおよびエンコーダ２０に関連付けられたサブキャリアの数値ｍとの積に値する。１（ＢＬＡＳＴタイプのフルランクエンコーダを利用）および２つのアンテナモジュール（Ｎｔｘ＝２）において、ｍは、エンコーダレート２０５で例えば８００に等しい。０．５（Ａｌａｍｏｕｔｉタイプエンコーダを利用）および２つのアンテナモジュール（Ｎｔｘ＝２）において、ｍは、エンコーダレート２０５で例えば１６００に等しい。
【００４５】
有利なことに、サブキャリアの総数は、ＯＦＤＭ変調器で使用されるＦＴＴ（高速フーリエ変換）のサイズ未満である。
【００４６】
エンコーダ２０５は、変調されたシンボルを（例えば、ベル研究所のＢＬＡＳＴ多重化に基づく）空間多重化またはＳＴＢＣ／ＳＦＢＣコード（Ｓｐａｃｅ  Ｔｉｍｅ  Ｂｌｏｃｋ  Ｃｏｄｅ／  Ｓｐａｃｅ  Ｆｒｅｑｕｅｎｃｙ  Ｂｌｏｃｋ  Ｃｏｄｅ）を用いて入力でエンコードする（例えば、非特許文献２を参照）。ＳＴＢＣ／ＳＦＢＣコードは、例えばＡｌａｍｏｕｔｉまたはＧｏｌｄｅｎの直交符号である（例）。ゴールド符号（Ｇｏｌｄｅｎコード）については、非特許文献３に記載されている。変形した形態によると、ＳＴＢＣコードは、非特許文献４に記載されている。Ａｌａｍｏｕｔｉ直交符号については、非特許文献５に記載されている。出力において、エンコーダ２０５およびＭＩＭＯデータブロック２０６１〜２０６Ｎｔｘ（それぞれ２０６１〜２０６０Ｎｔｘ）は、ＯＦＤＭ変調器に割り当てられる。
【００４７】
変形した形態によると、送信機は、単一のアンテナ上でＳＩＳＯモードまたは協調ＭＩＭＯモードで機能する。特に、ＳＩＳＯモードでは、送信機２はＭＩＭＯ符号化を含まず、アンテナモジュールに関連付けられた単一のＯＦＤＭ変調器を含み、変調器２０３はＯＦＤＭ変調器を直接供給する。送信機１０１は、例えば、単一のアンテナにＳＩＳＯまたは協調ＭＩＭＯのそのような送信機２のアーキテクチャを持っている。
【００４８】
図３は、本発明の特定の実施形態によるデータ受信機３のアーキテクチャを表す図である。受信機３は、無線チャネル経由で送信機２によって伝送された信号を受信する。受信機１００は、例えば受信機３のアーキテクチャを持っている。伝送チャネルにはノイズがあり、ＡＷＧＮ（加法性白色ガウス雑音）、および干渉などの他のノイズを含む。伝送された信号は、マルチパスエコーおよび／またはドップラー効果による影響を受ける場合もある。
【００４９】
受信機３は、
−Ｎｒｘのアンテナ３０１〜３０Ｎｒｘと、
−それぞれがアンテナ３０１〜３０Ｎｒｘのそれぞれによって伝送される変調されたノイズのあるＯＦＤＭ信号を復調するＮｒｘ  ＯＦＤＭ復調器３１１〜３１Ｎｒｘと、
−時間／周波数空間デコーダ３３と、
−デマッパー／デインタリーバ３５と、
−チャネルデコーダ３７と、を備える。
【００５０】
受信機３は送信機２に対応している（特に送信機によって使用される変調および符号化のため）。送信機で単純なキャリア変調を使用する変形形態に応じて、ＯＦＤＭ復調器は対応する単純なキャリア復調器に交換される。
【００５１】
受信機３は、Ｎｒｘ個の受信機アンテナ３０１〜３０Ｎｒｘを含み、これによって、信号受信３０１〜３０Ｎｒｘは、行列Ｎｒｘ*Ｎによって表すことが可能で、またはベクトルＲ（Ｎｒｘ*Ｎ）*１によって同等の方法で表すことができる。Ｎは、例えば２に等しく、ＭＩＭＯエンコーダによって占められる時間間隔および／または頻度を表す。
【００５２】
時間／周波数空間デコーダ３３は、ＯＦＤＭ復調器３１１〜３１Ｎｒｘから信号を受信して、ＭＩＭＯ復号を実施する（エンコーダ２０５の双対演算に対応する）。変換された信号３４は、デマッパー／デインタリーバ３５に提供される。
【００５３】
デマッパー／デインタリーバ３５は、送信機２のデュアルインタリーバ／マッパー操作２０３を実行し、例えば、伝送されたコンスタレーションのポイントを識別して、また、これらのポイントのそれぞれについて信頼性に関する情報を提供する。
【００５４】
チャネルデコーダ３７は、送信機２のエンコーダ２０１に適した復号を実行する。チャネルデコーダ３７は、デインタリーバの出力で生じる可能性がある誤りを修正するために、例えばビタビタイプの格子デコーダ（ｌａｔｔｉｃｅ  ｄｅｃｏｄｅｒ）から構成される。
【００５５】
変形した形態によると、受信機はＭＩＭＯモードでは機能しない。具体的には、受信機２はＭＩＭＯ復号を理解せず、アンテナに関連付けられた単一のＯＦＤＭ復調器を理解する。
【００５６】
図４は、例えば、送信機２に対応する送信機４のハードウェア実施形態を概略的に示した図である。
【００５７】
送信機４は、アドレスとデータのバス４４で互いに接続され、クロック信号も伝える次の要素を含む。すなわち、
−マイクロプロセッサ４１（またはＣＰＵ）、
−ＲＯＭ（読み出し専用メモリ）タイプの不揮発性メモリ４２、
−ランダムアクセスメモリまたはＲＡＭ４３、
−データセットの伝送に適したインターフェイス４７（例えば、サービスの配信、またはマルチポイントツーポイントもしくはポイントツーポイントの伝送）、
−同期信号２４０の受信、およびインターフェイス４７の同期に適したインターフェイス４８、および／または
−ＭＭＩ（マンマシンインターフェイス）インターフェイス４９、またはユーザーに対して情報を表示すること、および／またはデータもしくはパラメータを入力するのに適した特定のアプリケーション（例えば、サブキャリアおよび伝送されるサービスの設定）。
【００５８】
メモリ４２、４３の説明に使用されている「レジスタ」という用語は、前述の各メモリにおいて、低容量のメモリゾーン（少しのバイナリデータ）および大容量のメモリゾーン（プログラム全体、または受信したサービスおよび配信されるサービスを表すデータのすべてまたは一部を格納できる）を示しているという点に留意されたい。
【００５９】
メモリＲＯＭ４２は特に、
−プログラム「ｐｒｏｇ」４２０と、
−物理層のパラメータ４２１と、を含み、
本発明に特有で、後述する方法のステップを実装するアルゴリズムは、これらのステップを実装する送信機４に関連付けられたＲＯＭ４２メモリに格納される。電源が供給されると、マイクロプロセッサ４１は、これらのアルゴリズムの命令をロードして実行する。
【００６０】
ランダムアクセスメモリ４３は特に、
−レジスタ４３０において、送信機４をオンにする役割を果たすマイクロプロセッサ４１のオペレーティングプログラムと、
−伝送パラメータ４３１（例えばフレーム変調、エンコーディング、ＭＩＭＯ、繰り返し用のパラメータ）と、
−受信データ４３２と、
−データの伝送用の符号化データ４３３と、
−所定の時間間隔（time interval）内に伝送された信号に適用される重み付け係数の順序（sequence）を表すデータ４３４（例えば決定された時間間隔による重み付け係数の値）と、
−送信機４の地理的な位置を表すデータ４３５と、を含む。
【００６１】
図５は、例えば受信機３に対応し、送信機２（例えば１０１〜１０３）によって伝送された信号を受信しおよび復号するのに適した、システム１に属する受信機５のハードウェア実施形態を概略的に示す。
【００６２】
受信機５は、アドレスとデータのバス５４で互いに接続され、クロック信号も伝える次の要素を含む。すなわち、
−マイクロプロセッサ５１（またはＣＰＵ）、
−ＲＯＭ（読み出し専用メモリ）タイプの不揮発性メモリ５２、
−ランダムアクセスメモリまたはＲＡＭ５３、
−無線インターフェイス５５、
−ユーザーに対して情報を表示すること、および／またはデータもしくはパラメータを入力するのに適したＭＭＩインターフェイス５６（例えば、サブキャリアおよび伝送されるデータの設定）。
【００６３】
メモリ５２および５３の説明に使用されている「レジスタ」という用語は、前述の各メモリにおいて、低容量のメモリゾーンおよび大容量のメモリゾーン（プログラム全体を格納できるようにする、または受信したデータおよび復号されたデータを表すデータのすべてまたは一部）を示しているという点に留意されたい。
【００６４】
メモリＲＯＭ５２は特に、
−「ｐｒｏｇ」５２０プログラムと、
−物理層のパラメータ５２１と、を含む。
【００６５】
本発明に特有で、後述する方法のステップを実装するアルゴリズムは、これらのステップを実装する受信機５に関連付けられたＲＯＭ５２メモリに格納される。電源が供給されると、マイクロプロセッサ５１は、これらのアルゴリズムの命令をロードして実行する。
【００６６】
ランダムアクセスメモリ５３は特に、
−レジスタ５３０において、受信機４をオンにする役割を果たすマイクロプロセッサ５１のオペレーティングプログラムと、
−受信パラメータ５３１（例えばフレーム変調、エンコーディング、ＭＩＭＯ、繰り返し用パラメータ）と、
−受信機５５によって受信され復号されたデータに対応する受信データ５３２と、
−インターフェイスにおいてアプリケーション５６に伝送するように形成された復号データ５３３と、
−所定の時間間隔内に伝送された信号に適用される重み付け係数の順序を表すデータ５３４と、
−送信機と受信機によって形成されたシステムの決定されたチャネル応答を表すデータ５３５と、
−決定された送信機のそれぞれまたは送信機のセットに特有のパラメータを表すデータ５３６（例えば受信機によって受信される信号における送信機に特有の寄与）と、
−送信機と受信機との間の決定された信号伝播時間を表すデータ５３７と、
−受信機の決定された地理的位置（相対的または絶対的）を表すデータ５３８と、を含む。
【００６７】
受信機５が、最も近いまたは寄与が重要である送信機の地理的位置のテーブルを更新した状態に維持することができるように、地理的位置を表すデータは、例えば、規則的な方法でまたはオンデマンドで、送信機またはサーバーによって伝送される（送信機を使用する無線アクセス、他の無線アクセス、または有線アクセス経由）。有利なことに、受信機５は、ＲＡＭに、例えば対応するデータの受信時に更新できる部分的または完全な位置テーブルを含む。変形した形態によると、受信機５は、ＲＡＭに、送信機の地理的位置に対応するレジスタを含む。
【００６８】
図４および図５に関して記述したものとは違う、送信機４および／または受信機５の他の構造は、本発明と互換性がある。特に、変形した形態によると、本発明と互換性がある送信機および／または受信機は、例えば、専用のコンポーネントの形式で（例えばＡＳＩＣ（特定用途向け集積回路）またはＦＰＧＡ（フィールドプログラマブルゲートアレイ）またはＶＬＳＩ（超大規模集積回路）、装置に組み込まれた複数の電子部品の形式で、またはハードウェア要素とソフトウェア要素の混在する形式で、純粋にハードウェアによって実装され得る。
【００６９】
無線インターフェイス５５は、システム１の送信機１０１〜１０３によって配信される信号の受信に適したものである。
【００７０】
図１０は、本発明の特に有利な非限定的な実施形態による方法を示し、それぞれが少なくとも１つの送信機４を含む送信機（１つまたは複数）の２つのサブセットに実装された信号を伝送する方法を示す。明確にするために、実装した例は、それぞれが１つの送信機を含む送信機（１つまたは複数）のサブセットについて記述しているため、サブセットに対して送信機という用語を使うのが好ましい。
【００７１】
初期化ステップ１１０中に、各送信機の各種パラメータが更新される。特に、配信される信号および対応するサブキャリアに対応するパラメータは、任意の方法で初期化される（例えば、マスター送信機として知られている送信機の１つ、システム１を表していないサーバー、またはオペレータコマンドによって伝送された初期化メッセージの受信に続く）。
【００７２】
次に、ステップ１１１中に、第１の送信機（例えば送信機１０２）は、第１の時間間隔Ｔ１中に、受信機１００を対象とする第１の信号Ｓ1を伝送し、第２の送信機（例えば送信機１０３）は、同じ第１の時間間隔Ｔ１中に、受信機１００を対象とする第２の信号Ｓ2を伝送する。信号Ｓ1およびＳ2は同期して伝送される。つまり、無視できる程度の差を持ち（例えば１μ秒未満）、一方が他方に関して時間的にずれることなく、同じ周波数で伝送される。つまり、考慮するＯＦＤＭ方式に関して無視できる程度の周波数の差を持つ（典型的にはＤＶＢ−Ｔ型システムで１Ｈｚ未満）。また、エンコーダ２０によって同じコードを用いてエンコードされた同じデータを表し、Ｓはエンコードされたデータを表す信号である。第１の時間間隔Ｔ１中に、第１の信号Ｓ1は、第１の複素重み付け係数Ｋ1が割り当てられ、第２の信号は、第２の複素重み付け係数Ｋ2が割り当てられる。したがって、次の式が得られる。Ｓ1＝Ｋ1．ＳおよびＳ2＝Ｋ2．Ｓ
次に、ステップ１１２中に、第２の時間間隔Ｔ２中に、第１の送信機は、受信機１００を対象とする第１の信号Ｓ1を伝送し、同じ時間間隔Ｔ２中に、第２の送信機は第２の信号Ｓ2を伝送し、これら２つの信号はＳＦＮ技術に従って伝送される。第２の時間間隔Ｔ２中に、信号Ｓ1は、値がＫ1とは異なる第１の複素重み付け係数Ｋ’1が割り当てられ、信号Ｓ2は、複素重み付け係数Ｋ2が割り当てられる。複素重み付け係数Ｋ1、Ｋ’1、およびＫ2は、比率Ｋ1／Ｋ2が比率Ｋ’1／Ｋ2とは異なるように選択される。したがって、次の式が得られる。Ｓ1＝Ｋ’1．ＳおよびＳ2＝Ｋ2．Ｓ
信号Ｓ1およびＳ2の伝送は、例えば、ＧＰＳ同期または基準クロックからの制御など、当業者には公知の任意の方法によって同期される。
【００７３】
送信機４の数は２に制限されておらず、２、３、４、１０などでもよい。一般に、複素重み付け係数は各送信機によって伝送される信号に割り当てられ、重み付け係数の値は、定義された順序に従って時間とともに変動する。３つの送信機が信号Ｓ1、Ｓ2およびＳ3をそれぞれ伝送する場合、時間間隔Ｔ１、Ｔ２およびＴ３に対する複素重み付け係数の割り当て順序は、以下のとおりである。
【００７４】
【表１】
2010109978.tif 000003
【００７５】
次に、複素重み付け係数Ｋ1、Ｋ2、Ｋ3、Ｋ’1、Ｋ’２、およびＫ’3は、以下のように選択される。
−比率Ｋ1／Ｋ2は比率Ｋ1／Ｋ’2とは異なる、または比率Ｋ2／Ｋ’3は比率Ｋ’2／Ｋ3とは異なる、または比率Ｋ1／Ｋ’3は比率Ｋ1／Ｋ’3とは異なる、および
−比率Ｋ1／Ｋ’2は比率Ｋ’1／Ｋ2とは異なる、または比率Ｋ’2／Ｋ3は比率Ｋ2／Ｋ3とは異なる、または比率Ｋ1／Ｋ3は比率Ｋ’1／Ｋ3とは異なる。
【００７６】
信号Ｓ1からＳnをそれぞれ伝送するｎ個の送信機を含むシステムでは、以下の表２に定義された順序に従って時間とともに変動する複素重み付け係数Ｋ1からＫnが、それぞれ割り当てられる。
【００７７】
【表２】
2010109978.tif 000004
【００７８】
したがって、複素重み付け係数Ｋ1からＫnの選択は、少なくとも２、３の送信機（ｋ、ｌ）に対して、間隔ｎで送信機ｋおよびｌによって使用される重み付け係数の比率（Ｋk／Ｋl）mは、間隔ｍに続く間隔において送信機ｋおよびｌによって使用される重み付け係数の比率（Ｋk／Ｋl）m+1とは異なる。ｋおよびｌは異なる送信機、ｍは時間間隔を定義する。複素重み付け係数のタイプは、次のとおりである。
Ｋ＝Ｒ．ｅｘｐ（ｉθ）。Ｒは、伝送された信号の電力に関係する係数のモジュール（ｍｏｄｕｌｅ）を表し、θは、伝送された信号の位相シフトに関係する引き数を表し、ｉは、モジュール１の（数学的な意味で）純粋な想像上の複素数を表す。
【００７９】
そのような実装の利点は、送信機によって伝送された信号への重み付け係数の割り当ては、特にネットワーク管理、または例えば送信機に関する受信機の位置に適したサービスを配信する目的で、受信機による送信機の識別を促進することである。
【００８０】
他の利点は、受信される信号の電力は、送信機のセット間で時間とともに変動する重み付け係数を適用することにより、伝送条件を混在させることで全体的に改善される。これにより、異なる送信機によって伝送された信号の破壊的な組合せによって長期間にわたって受信機が不利な状態になることが回避される。
【００８１】
有利なことに、時間が固定された順序に従って、例えば定期的または不規則なサイクルに従って、重み付け係数は送信機または送信機のサブセットに適用される。変形形態によると、送信機に対する係数の割り当ての順序は時間により変動し、また、例えば、イベント、受信機の要求、送信機の要求、サーバーおよび／またはネットワーク制御装置の関数である。変形した形態によると、保守、特定の送信機の検証などの目的で受信機は、（例えば、受信機、送信機（１つまたは複数）、および／またはネットワークマネージャによって）決定された時点に特有の送信機または送信機のサブセットに適用された重み付け係数の変更を必要とする。したがって、重み付け係数は、受信機からの第２の要求を受信するまで、または一時期間が終了するまで、送信機に適用された状態になる。変形した形態によると、係数の変更を求める受信機の要求は、送信機に対する係数の適用の期間に関係する情報を含む。
【００８２】
変形した形態によると、システムの送信機はＭＩＭＯタイプであり、複数の送信アンテナを持っている。ＭＩＭＯ送信機の各アンテナによって伝送される信号は、当業者には公知のＭＩＭＯタイプ符号化によって符号化される。次に、同じ複素重み付け係数は、同じ送信機４のすべてのアンテナによって伝送されるすべての信号に適用される。言い換えると、所定の複素重み付け係数は、所定の送信機、つまり各送信機に対して割り当てられる。
【００８３】
本発明の特定のモードによると、システム１は、それぞれが少なくとも２つの送信機を含む送信機のサブセットを少なくとも２つ含む。したがって、複素重み付け係数Ｋ1は、第１のサブセットの送信機のそれぞれによって伝送された信号に適用され、複素重み付け係数Ｋ2は、第２のサブセットの送信機のそれぞれによって伝送された信号に適用される、というように処理される。各サブセット内において、少なくとも１つの送信機は、第１のエンコーダ２０経由でエンコードされたデータを伝送し、少なくとも第２の送信機は、第１のエンコーダ２０とは異なる第２のエンコーダによってエンコードされた、（第１の送信機によって伝送されたものと同一かまたは同一でない）データを伝送する。データは、同期して同じ周波数で伝送される。サブセットの第１および第２の送信機は、それぞれＭＩＭＯ送信機の第１のアンテナおよび第２のアンテナとして機能する。同じサブセットのこのような２つの送信機は、協調ＭＩＭＯシステムを形成する。
【００８４】
他の変形した形態によると、複数のアンテナを持つ送信機に対しては、第１のアンテナによって伝送された信号に適用される重み付け係数は、信号の電力を変更、すなわち電力を増減させる。係数が第１のアンテナによって伝送された信号の電力を減少させる場合には、公称電力（nominal power）と伝送電力との間の伝送電力の差は、次に他のアンテナへと引き継がれる(carry over)。例えば、送信機に２つのアンテナがあるときに、第１のアンテナの伝送電力に、０．９に等しい重み付け係数が割り当てられた場合、つまり、係数モジュールの値がＲ＝０．９であり、引き数の値がθ＝０の場合、第２のアンテナの伝送電力には、１．１に等しい係数が割り当てられる（Ｒ＝１．１、θ＝０）。反対に、第１のアンテナの信号に適用された係数が伝送電力を高める場合、第２のアンテナの伝送電力も同程度だけ低下する。したがって、この変形形態は、所定の送信機に対して電力を最適なレベルおよび一定に維持するという利点を提供する。
【００８５】
有利なことに、第１の送信機によって伝送された信号に適用される重み付け係数は、それを増減させることによって、信号電力を変更する。係数が、第１の送信機によって伝送された信号の電力を低下させる場合、公称電力と伝送電力の間の伝送の電力の差は、次に、第１の送信機と同じサブセットに属していない１つまたは複数の送信機に引き継がれ、これによって、送信機のセットの伝送電力は一定になる。
【００８６】
システム１に２つの送信機（またはそれぞれ少なくとも１つの送信機を含む送信機のサブセット）が含まれる特定の実施形態によると、第１の重み付け係数Ｋ1は、第１の時間間隔Ｔ１に対して値Ｋ1＝０を取り、Ｋ’1は、第２の時間間隔Ｔ２に対して０以外の値を取る。したがって、この実施形態によると、第１の時間間隔Ｔ１中には第１の送信機によって信号は伝送されない。この実施形態には、実装が特に簡単であるという利点がある。
【００８７】
本発明の他の実施形態によると、Ｋ1は、第１の時間間隔Ｔ１中に決定された値を取り、Ｋ’1は、第２の時間間隔中に、Ｋ1によって取られた値とは逆（inverse）の値を取る。有利なことに、Ｋ1は値１を取りＫ’１は値−１を取る。またはその反対の値を取る。類推的に、一般形態のＫ1＝ｅｘｐ（ｉ*θ）およびＫ’1＝−ｅｘｐ（ｉ*θ）のすべての値など、他の値を使用することができる。ここで、θは０と２πラジアンとの間に含まれる角である（Ｋ1＝１の前の例はθ＝０ラジアンの場合に対応する）。これらの値はすべて、最大の状態に維持される全伝送電力の変更を引き起こさない。変形形態Ｋ’n＝α．Ｋnによると、αは１以外の複素数または実数である。
【００８８】
図６は、本発明の非限定的な特に有利な実施形態による、受信機５に実装された信号を受信する方法を示す。
【００８９】
初期化ステップ６０中に、各受信機５の各種パラメータが更新される。特に、受信した信号および対応するサブキャリアに対応するパラメータは、任意の方法で初期化される（例えば、送信機の１つ、システム１のサーバー、またはオペレータコマンドによって伝送された初期化メッセージの受信に続く）。
【００９０】
次に、ステップ６１中に、受信機１００は、複数の送信機１０１、１０２および１０３によって伝送された信号の組合せから形成された信号を受信する。一実施形態によると、送信機１０１、１０２は、送信機の第１のサブセットを形成し、送信機１０３それ自体が、システム１の第２の送信機のサブセットを形成する。このように受信機１００によって受信された信号は、第１のサブセットの各送信機１０１、１０２によって伝送される第１の信号、および送信機１０３によって伝送される第２の信号を含む。伝送される第１の信号には、第１の複素重み付け係数Ｋ1が割り当てられる。係数Ｋ1は、第１の時間間隔Ｔ１および第２の時間間隔Ｔ２において、それぞれ２つの異なる値を取る。第２の信号には、前述したように、第２の複素重み付け係数Ｋ2が割り当てられる。
【００９１】
次に、ステップ６２中に、受信機１００は、受信した結合信号の伝送に寄与した送信機の各サブセットに特有のパラメータを決定し、この特定のパラメータは、受信機による送信機のサブセットまたは特定の送信機の識別を可能にする。この決定は、送信機のそれぞれによって伝送された信号に、重み付け係数を割り当てることによって可能になる。各サブセットが１つの送信機だけから構成されている場合、実行されるのは各送信機の特定のパラメータの決定である。係数Ｋ1がサブセット１０を形成する送信機に適用され、かつ係数Ｋ2が送信機１０３に適用される場合、決定された特定パラメータは、それぞれサブセット１０および送信機１０３に対応する。受信機は、時間間隔Ｔ１およびＴ２に従って、送信機（または送信機のサブセット）に対して複素重み付け係数を適用する順序に関係する情報を持っている。次に、特定パラメータの決定は、未知数がサブセット１０および送信機１０３の特定パラメータである２つの二元方程式（下に定義したタイプ１および２の方程式）の解によって再開される。送信機または送信機のサブセットに特有のパラメータの例は次のとおりである。受信機によって受信された結合信号を形成する、異なる送信機（または送信機のサブセット）による信号の伝送での送信機（または送信機のサブセット）の信号の寄与、送信機（または送信機のサブセット）のエネルギー寄与、送信機（または送信機のサブセット、例えばサブセットの重心に対応するサブセットの位置特定）の位置。これは、信号の寄与、電力寄与、複素係数を用いて規則的に間隔を置かれ重み付けされた複数のサブキャリアまたは信号のフレームに基づき特に決定された平均値を含むこのスケールの値、例えば、単一のサブキャリア、またはサブキャリアの単一のグループまたはデータのフレームに対して決定された正確な値、例えば、実験、測定またはシミュレーションに基づいて作られたモデルから決定されたスケールに近い値によって理解される。
【００９２】
図７に示す変形形態によると、ステップ６１は、結合信号を受信するステップ７１と、それぞれが送信機に関連付けられた重み付け係数を表す情報を受信するステップ７２と、を含む。時間間隔に従った複素重み付け係数の割り当てに関係する情報は、ステップ７２中に受信機によって受信される情報であり、ステップ７１に示す結合信号の前、同時、または後に受信できる。この情報は、例えば、これらの送信機の通信カバリッジ内での受信中に送信機（複数）によって、またはそれらの１つによって伝送される。変形形態によると、この情報は送信機によって配信される有用なデータとも結合される。
【００９３】
有利なことには、ステップ７２は、特定のイベント（例えば、受信機の交換、信号損失、結合信号の受信レベルで決定された閾値からの大きな減少または増大、サーバー要求、一時期間の終了など）に続いて、受信機の設置時に実行される。
【００９４】
他の変形した形態によると、時間間隔に従って送信機に対する複素重み付け係数の割り当ての順序を記述するデータは、受信機のＲＡＭメモリに入力される。このデータは、ネットワークマネージャによって、任意の手段によって伝送され、特に伝送された専用のメッセージ（例えば送信機または他の有線ネットワークを使用する無線チャネルによって）経由でサーバーまたは送信機によって受信機に、またはＭＭＩ（マンマシンインターフェイス）インターフェイス経由で入力に伝送される。
【００９５】
一実施形態によると、受信機５によって実行される受信方法は、ＭＩＭＯタイプまたは協調ＭＩＭＯタイプの複数の送信機によって伝送される信号を区別するステップを含む。ＭＩＭＯ送信機の場合には、異なるＭＩＭＯエンコーディングが、送信機のアンテナのそれぞれによって伝送される信号に適用される。送信機は、例えば２つのアンテナを持っている。次に、第１のＭＩＭＯエンコーディングは、送信機のそれぞれの各第１のアンテナによって伝送されたデータに適用され、第２の異なるＭＩＭＯエンコーディングは、送信機のそれぞれの各第２のアンテナによって伝送されたデータに適用される。変形した形態によると、一部の送信機（少なくとも１つの送信機）だけが２つのアンテナを持ち、他の送信機は単一のアンテナを持つ。次に、第２のＭＩＭＯエンコーディングは、対応する送信機の第２のアンテナによって伝送されたデータにのみ適用される。協調ＭＩＭＯシステムを形成する送信機の場合には、協調ＭＩＭＯシステムに属する送信機のそれぞれは、例えば、各送信機に対して特定のＭＩＭＯエンコーディングを適用する。協調ＭＩＭＯシステムが２つの送信機から形成されている場合、第１のエンコーディングは第１の送信機によって伝送されるデータに適用され、第１とは異なる第２のエンコーディングは第２の送信機によって伝送されるデータに適用される。協調ＭＩＭＯシステムまたはそうでないＭＩＭＯシステムにおいて、当業者には公知の任意の技術のいずれかに従って、受信機５は、複数のアンテナによって伝送された信号の組合せから受信された信号を復号する。
【００９６】
図８は、受信機５によるステップ６２の特定の実施形態を示す。
【００９７】
ステップ６２はステップ８１から始まり、この間に、システム１の受信機１００は、受信した結合信号からシステム１に対する第１のチャネル応答を決定する。この信号は、第１の時間間隔Ｔ１に対して、一方ではサブセット１０の送信機によって、他方では送信機１０３によって伝送された信号の組合せであり、第２の時間間隔に対して受信した結合信号からシステム１の第２のチャネル応答を決定する。
【００９８】
第１の時間間隔Ｔ１に対して、受信機は、Ｔ１に対するシステムのチャネル応答を測定する。チャネル応答は、次の式に従う。
ｈT1＝Ｋ1．Ｃtx1＋Ｋ2．Ｃtx2                              （式１）
ｈT1は、Ｔ１に対するシステムのチャネル応答であり、Ｃtx1は、システムチャネル応答に対するサブセット１０に特有の寄与であり、Ｃtx1は、
【００９９】
【数１】
2010109978.tif 000005
【０１００】
の式に従う。ここで、ｈtx1は、ペア（サブセット１０、受信機１００）のチャネル応答を示し、Ｐtx1は基準伝送電力（つまり、サブセット１０の重み付けされていない公称電力）を示す。Ｃtx2は、システムのチャネル応答に対する送信機１０３の特定の寄与であり、Ｃtx2は、
【０１０１】
【数２】
2010109978.tif 000006
【０１０２】
の式に従う。ここで、ｈtx2は、ペア（送信機１０３、受信機１００）のチャネル応答を示し、Ｐtx2は基準伝送電力（つまり、送信機１０３の重み付けされていない公称電力）を示す。
【０１０３】
第２の時間間隔Ｔ２に対して、受信機は、Ｔ２に対するシステムのチャネル応答を測定する。チャネル応答は、次の式に従う。
ｈT2＝Ｋ’1．Ｃtx1＋Ｋ2．Ｃtx2                            （式２）
ここで、ｈT2は、Ｔ２に対するシステムのチャネル応答である。
【０１０４】
時間間隔Ｔ１およびＴ２中に伝播チャネルが安定した状態の場合、つまり、Ｔ１＋Ｔ２の合計が伝播チャネルのコヒーレンス時間未満である場合、または受信機による測定時間がチャネルのコヒーレンス時間未満になるように、Ｔの終わりおよびＴ２の最初に、受信機がｈT1およびｈT2の測定をそれぞれ行う場合、および時間間隔Ｔ１およびＴ２中に基準伝送電力Ｐtx1およびＰtx2が一定の状態である場合、ステップ８２中にサブセット１０および送信機１０３の特定の寄与が、式（１）および式（２）の減算ならびに重み付け係数の差の除算によって得られる。
Ｃtx1＝（ｈT1−ｈT2）／（Ｋ1−Ｋ’1）                      （式３）
それぞれＫ１およびＫ２の代わりに、Ｋ’１およびＫ２を用いる式（１）および式（２）の重み付けによって、重み付けされた式（１）および式（２）から以下が得られる。
Ｃtx2＝（Ｋ’1ｈT1−Ｋ1ｈT2）／（Ｋ2．（Ｋ’1−Ｋ1））      （式４）
【０１０５】
変形した形態によると、受信機は、間隔Ｔ１の任意の時点ｔ１においてｈT1を測定し、間隔Ｔ２の任意の時点ｔ２においてｈT2を測定する。次に、受信機は補間によって、ｔ１に対応するｈT2の値およびｔ２に対応するｈT1の値を推定する。次に、受信機は、ｈT1およびｈT2に対応する測定しおよび補間した値から時点ｔ１および／またはｔ２で、式３および４に従ってＣtx1およびＣtx2を決定する。
【０１０６】
重み付け係数によって得られた値には、特に有利なものがある。例えば、Ｋ1が値０を取り、Ｋ’１が非ヌル値を取る場合（またはその反対の場合）、特定の寄与は、第１および第２の時間間隔Ｔ１およびＴ２のチャネル応答から直接推定することができる。しかし、値Ｋ1＝０は、時間間隔中に信号の伝送を完全に取り消す効果がある。これが複数の送信アンテナを持つ送信機で受け入れ可能な場合は、ＭＩＭＯ伝送システムの伝送パフォーマンスを減らすことができる。これにより、時間間隔中に所定の送信機の伝送が完全に取り消されるためである。したがって、重み付け係数がいずれもヌルでない場合は、配信パフォーマンスが改善される。特に有利な他の例によれば、Ｋ1およびＫ’1は反対の値であり、例えば、Ｋ1の値が１の場合Ｋ’１は−１である。これらの値は実際、特定の寄与の簡単な推定（estimation）につながる。この理由は、チャネル応答の測定は、送信機またはサブセットの特定の寄与の２倍に等しいためである。さらに、これらの値のパラメータ設定には、伝送電力の変更は必要ない。つまり、電力増幅器の充電に変更はなく、したがって、純粋なデジタル加工で十分である。類推的に、一般形態のＫ1＝ｅｘｐ（ｉ*θ）およびＫ’1＝−ｅｘｐ（ｉ*θ）のすべての値など、他の値を使用することができる。ここで、θは０と２πラジアンとの間に含まれる角である（Ｋ1＝１の前の例はθ＝０ラジアンの場合に対応する）。これらの値はすべて、伝送電力の変更を引き起こさない。そして、重み付けは位相シフトに対応する。
【０１０７】
次に、ステップ８３中に、受信機は、それぞれサブセット１０および送信機１０３において、結合信号および特定パラメータから、例えば特定の寄与など、サブセット１０および送信機１０３のエネルギー寄与を推定する。シングルキャリア方式においては、エネルギー寄与はサブセット１０では｜Ｃtx1｜2に比例し、送信機１０３では｜Ｃtx2｜2に比例する。ＯＦＤＭ方式においては、ＯＦＤＭシンボルのエネルギー寄与は、当業者に公知の任意の技術に従って得られたサブキャリアのそれぞれのエネルギー寄与の合計であり、以下の式に従う。
【０１０８】
【数３】
2010109978.tif 000007
【０１０９】
ここで、ｈf（ｎ）は、サブキャリアｎのチャネル応答である。
【０１１０】
変形した形態によると、エネルギー寄与は、（例えばゲインコントローラにより）特定の寄与を決定することなく、重み付け係数の特定の値に対して、例えば、Ｋ1＝０、またはＫ1＝１、およびＫ1＝−１など、特に純粋な実係数に対して、受信機によって直接決定される。
【０１１１】
図９は、本発明の特定の実施形態による、受信機５によって実行される受信方法を示す図である。一部のステップは、前述のステップに類似しており、同じ基準を持っている。
【０１１２】
初期化ステップ９０中に、各受信機５の各種パラメータが更新される。特に、受信した信号および対応するサブキャリアに対応するパラメータは、任意の方法で初期化される（例えば、システム１の送信機、サーバー、またはオペレータコマンドによって伝送された初期化メッセージの受信に続く）。
【０１１３】
次に、前述のステップ７１、７２および９１に細分されたステップ９４中に、受信機は結合信号、時間および送信機の地理的位置に関係する情報に従って、送信機によって伝送された信号に適用される複素重み付け係数を表す情報のアイテム（item）を受信する。ステップ９１は、受信機の地理的位置を決定するステップ９３の前に、任意の時点で行われる。有利な変形形態によると、このステップ中に受信された情報は、送信機によって伝送された有用な信号または時間に従った複素重み付け係数に関係する情報と組み合わせられる。ステップ９１は条件的なものであり、受信方法に影響を与えずに実行することはできない。変形した形態によると、送信機の地理的位置に関係するデータは、受信機のＲＡＭメモリのＭＭＩタイプインターフェイス経由で、ユーザーによって入力される。
【０１１４】
前述のステップ８１およびステップ８２の２つに細分されるステップ９５中に、受信機は、サブセット１０および送信機１０３の特定の寄与を推定するためにチャネル応答を決定する。
【０１１５】
ステップ９２中に、受信機は、一方ではサブセット１０によって、他方では送信機１０３によってそれぞれ伝送された信号の伝播時間の差を計算する。またはより一般的には、サブセット１０および送信機１０３の特定のパラメータから計算する。送信機または送信機のサブセットのそれぞれの寄与から、およびサブキャリアのそれぞれに対して、当業者に公知の任意の技術（例えば逆フーリエ変換）に従って、対応する伝播チャネルのパルス応答が推定される。このパルス応答から、他方に関して送信機（または送信機のセット）に関連する伝播遅延が、送信機のそれぞれまたは送信機のセットに対して決定される。有利なことに、決定される伝播遅延は、送信機と受信機との間のより短い伝搬路に対応するものである。
【０１１６】
最後に、ステップ９２中に、受信機は、サブセット１０および送信機１０３に関する相対的な方法（特に受信機が送信機の絶対的な地理的な位置情報を持っていない場合）で、または絶対的な方法で自身の地理的位置を決定する。受信機の地理的位置の決定は、三角測量または標準的な受信機を経由して経験により確立される局所モデルなど、当業者に公知の任意の技術に従って行われる。これらの方法には、受信機の地理的位置を正確に決定できるという長所がある。変形した形態によると、受信機の位置の決定は２つの送信機または送信機のサブセットからの概算によって行われ、受信機の位置は、正確な地点ではなく、送信機の可能な位置特定領域によって定義される。
【０１１７】
変形した形態によると、受信機は、例えば１つまたは複数の送信機、ネットワークサーバー、ネットワークマネージャを対象とした位置（例えば、相対位置、絶対位置。この位置は領域に対して正確または対応する）を表すデータを（任意の手段によって、特に伝送された専用メッセージ（例えば送信機または他の有線ネットワークを使用する無線チャネル）によって）伝送する。
【０１１８】
当然ながら、本発明は前述の実施形態に限定されるものではない。
【０１１９】
特に、本発明は２つのサブセットを含むシステムに限定されず、２つを超える送信機のサブセットを含むシステムにも適用される。同様に、サブセットは、１つの送信機または複数の送信機によって無関係に定義される。サブセットに送信機が１つだけ含まれる場合、特定のパラメータはその送信機のパラメータ特性であり、サブセットに複数の送信機が含まれている場合、特定のパラメータは、全体として見たサブセットのパラメータ特性である。
【０１２０】
変形した形態によると、送信機のサブセットは時間により変動する。つまり、送信機（複数可）はサブセットから外されたり追加されたりする。
【０１２１】
本発明は、同じ周波数で、複数の送信機によって伝送される信号と同じコードを用いてエンコードされた同じデータを表す信号を、同期して伝送する複数の送信機の送信機、またはそのような送信機に適用される伝送方法にも適用される。
【０１２２】
本発明の変形した形態によると、この受信方法は、受信機によって受信される結合信号を形成するさまざまな信号の伝送において各送信機のエネルギー寄与を決定することを含む。本発明の特定の実施形態によると、この受信方法は、決定されたエネルギー寄与から、信号受信が最小閾値未満である領域（信号が弱すぎると考えられる）および信号受信が最大閾値より大きい領域（信号が強すぎると考えられる）を決定することを含む。本発明の他の実施形態によると、この受信方法は、決定されたエネルギー寄与から、送信機または送信機のセットの実際のカバリッジ領域を決定することを含む（計画されたカバリッジ領域を単に認識するより正確に決定できる）。本発明の変形形態によると、この方法は、１つまたは複数の送信機および／または送信機の１つまたは複数のグループのエネルギー寄与を表す情報を、１つまたは複数の送信機ネットワークマネージャに伝送することを含み、これにより、マネージャは、送信機（複数可）を追加、取り外し、および／または交換することによって、送信機のネットワークを調節し、信号伝送のカバリッジを改善しかつ送信機を最適化することができる。変形形態によると、伝送信号が壊れている送信機の近辺の複数の受信機のパフォーマンスを統計分析することで、送信機レベルで可能性のある問題を判断し、送信機のネットワークの保守を促進して、不完全または不適切な位置にある送信機（複数可）を対象とすることができる。
【０１２３】
他の実施形態によると、伝送された信号の重み付けは、信号の一部だけ、例えばサブキャリアもしくはサブキャリアのグループだけ、または規則的に間隔を置かれたフィールドの一部だけに適用される。
【０１２４】
変形した形態によると、受信機は、送信機またはサブセットのそれぞれに特有のパラメータを決定するために、送信機または送信機のサブセットのいくつかを選択する。実際、相対的な地理的位置を決定するためには、例えば、３つの送信機だけが受信機の正確な現在地を取得する必要がある。
【０１２５】
他の変形した形態によると、受信機は、その地理的位置（相対的または絶対的）を伝送し、受信機の地理的位置に従って、１つまたは複数の送信機は、受信機を対象とする特定のサービス（単数または複数）を伝送する。
【図１】
2010109978.tif 000008
【図２】
2010109978.tif 000009
【図３】
2010109978.tif 000010
【図４】
2010109978.tif 000011
【図５】
2010109978.tif 000012
【図６】
2010109978.tif 000013
【図７】
2010109978.tif 000014
【図８】
2010109978.tif 000015
【図９】
2010109978.tif 000016
【図１０】
2010109978.tif 000017
【外国語明細書】
2010109978000001.pdf